(57)【要約】      （修正有）【課題】連結ブリックを迅速かつ容易に組み立てる連結ブリック組立体を提供する。【解決手段】連結ブリック組立体は、少なくとも１つの第１の連結ブリックと、少なくとも１つの第２の連結ブリックと、少なくとも１つの第３の連結ブリックとを含み、第１の連結ブリックの側面には、横断方向係合溝を形成する。第２の連結ブリックの４つの側面には、横方向に延在する横断方向係合突出部と鉛直に延在する鉛直方向係合部を形成する。第３の連結ブリックの側面には、鉛直に延在する鉛直方向係合溝を形成する。第１の連結ブリックの横断方向係合溝は、第２の連結ブリックの横断方向係合突出部のそれぞれに係合するように用いられる。第３の連結ブリックの鉛直方向係合溝のそれぞれは、第２の連結ブリックの鉛直方向係合突出部のそれぞれに係合するように用いられる。３タイプの連結ブリックを相互係止させることによって、広い面積の連結ブリック組立体ができる。【選択図】なし【特許請求の範囲】
【請求項１】
頂面と、底面と、前記頂面と前記底面との間の４つの側面とを有し、該側面のそれぞれは、横方向に延在する横断方向係合溝を形成する、少なくとも１つの第１の連結ブリックと、
頂面と、底面と、前記頂面と前記底面との間の４つの側面とを有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、少なくとも１つの第２の連結ブリックと、
頂面と、底面と、前記頂面と前記底面との間の４つの側面とを有し、該側面のそれぞれは、鉛直に延在する鉛直方向係合溝を形成する、少なくとも１つの第３の連結ブリックと、
を含み、
前記第１の連結ブリックの前記横断方向係合溝のそれぞれは、横方向に摺動させることで、前記第２の連結ブリックの前記横断方向係合突出部のそれぞれに係合するように用いられ、前記第３の連結ブリックの前記鉛直方向係合溝のそれぞれは、下方に摺動させることで、前記第２の連結ブリックの前記鉛直方向係合突出部のそれぞれに係合するように用いられ、
前記第２の連結ブリックの前記鉛直方向係合突出部のそれぞれの頂面及び外側面は、楔状角部を画定し、それに対応して、前記第３の連結ブリックの前記鉛直方向係合溝のそれぞれは、楔状溝付き部を形成し、前記鉛直方向係合突出部のそれぞれの前記楔状角部は、前記鉛直方向係合溝のそれぞれの前記楔状溝付き部と係合するように用いられる、連結ブリック組立体。
【請求項２】
前記第３の連結ブリックの前記鉛直方向係合溝は、前記第３の連結ブリックの前記頂面まで延在せず、前記第２の連結ブリックの前記鉛直方向係合突出部は、前記第２の連結ブリックの前記頂面まで延在しない、請求項１に記載の連結ブリック組立体。
【請求項３】
前記連結ブリック組立体は、頂面と、底面と、前記頂面と前記底面との間の４つの側面とを有し、該側面のうち２つの対向側面のそれぞれは、横方向に延在する横断方向係合突出部を形成し、前記側面のうちの別の側面は、鉛直に延在する鉛直方向係合突出部を形成する、少なくとも１つの第４の連結ブリックを更に含み、
前記第１の連結ブリックの前記横断方向係合溝のそれぞれは、横方向に摺動させることで、前記第４の連結ブリックの前記横断方向係合突出部のそれぞれに係合するように用いられ、前記第３の連結ブリックの前記鉛直方向係合溝のそれぞれは、下方に摺動させることで、前記第４の連結ブリックの前記鉛直方向係合突出部に係合するように用いられ、
前記第４の連結ブリックの前記鉛直方向係合突出部の頂面及び外側面は、楔状角部を画定し、前記第４の連結ブリックの前記鉛直方向係合突出部の前記楔状角部は、前記第３の連結ブリックの前記鉛直方向係合溝のそれぞれの前記楔状溝付き部に係合するように用いられ、前記第４の連結ブリックの前記鉛直方向係合突出部は、前記第４の連結ブリックの前記頂面まで延在しない、請求項２に記載の連結ブリック組立体。
【請求項４】
前記第４の連結ブリックの前記鉛直方向係合突出部の反対側にある前記側面は、横方向に延在する横断方向係合溝を形成し、前記第４の連結ブリックの前記横断方向係合溝は、横方向に摺動させることで、前記第２の連結ブリックの前記横断方向係合突出部のそれぞれに係合するように用いられる、請求項３に記載の連結ブリック組立体。
【請求項５】
前記連結ブリック組立体は、頂面と、底面と、前記頂面と前記底面との間の４つの側面とを有し、該側面のそれぞれは、横断方向係合溝と、鉛直方向係合突出部と、横断方向係合溝とを順番に形成する、少なくとも１つの一体連結ブリックを更に含み、
前記一体連結ブリックの前記横断方向係合溝のそれぞれは、横方向に摺動させることで、前記第２の連結ブリックの前記横断方向係合突出部のそれぞれに係合するように用いられ、前記第３の連結ブリックの前記鉛直方向係合溝のそれぞれは、下方に摺動させることで、前記一体連結組立体の前記鉛直方向係合突出部のそれぞれに係合するように用いられ、
前記一体連結ブリックの前記鉛直方向係合突出部のそれぞれの頂面及び外側面は、楔状角部を画定し、前記一体連結ブリックの前記鉛直方向係合突出部のそれぞれの前記楔状角部は、前記第３の連結ブリックの前記鉛直方向係合溝のそれぞれの前記楔状溝付き部に係合するように用いられ、前記一体連結ブリックの前記鉛直方向係合突出部のそれぞれは、前記一体連結ブリックの前記頂面に延在しない、請求項２に記載の連結ブリック組立体。
【請求項６】
前記鉛直方向係合突出部は、鉛直に延在する複数のダブテール突出部であり、前記鉛直方向係合溝は、鉛直に延在する複数のダブテール溝である、請求項１〜５のいずれか１項に記載の連結ブリック組立体。
【請求項７】
前記連結ブリックのそれぞれの前記底面は、下方に延在する複数のアーチ状支持リブを形成する、請求項１〜５のいずれか１項に記載の連結ブリック組立体。
【請求項８】
前記連結ブリックのそれぞれの前記底面は、該底面まで下方に延在する複数の支持リブを形成し、該支持リブは、前記底面と同一平面にある、請求項１〜５のいずれか１項に記載の連結ブリック組立体。
【請求項９】
前記連結ブリックのそれぞれの前記頂面は、該頂面の中心から下方かつ外方に傾斜する複数の排水斜面を形成する、請求項１〜５のいずれか１項に記載の連結ブリック組立体。
【請求項１０】
前記連結ブリックのそれぞれは、該連結ブリックを前記頂面から前記底面まで貫通する複数の排水穴を形成する、請求項１〜５のいずれか１項に記載の連結ブリック組立体。
【請求項１１】
前記連結ブリックのそれぞれの前記頂面は、複数の滑り止めパターンを形成する、請求項１〜５のいずれか１項に記載の連結ブリック組立体。
【請求項１２】
前記連結ブリックのそれぞれは、前記側面のうちの少なくとも２つを通ってつながる少なくとも１つの貫通溝を形成し、該貫通溝は、少なくとも１つの導管を通すように設けられる、請求項１〜５のいずれか１項に記載の連結ブリック組立体。
【請求項１３】
前記連結ブリックのそれぞれは、該連結ブリックの前記頂面をくり抜いた複数の植穴を形成する、請求項１〜５のいずれか１項に記載の連結ブリック組立体。
【請求項１４】
前記連結ブリックは、正方形である、請求項１〜５のいずれか１項に記載の連結ブリック組立体。
【請求項１５】
頂面と、底面と、前記頂面と前記底面との間の４つの側面とをそれぞれ有し、該側面のそれぞれは、横方向に延在する横断方向係合溝を形成する、４つの第１の連結ブリックと、
頂面と、底面と、前記頂面と前記底面との間の４つの側面とをそれぞれ有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、４つの第２の連結ブリックと、
頂面と、底面と、前記頂面と前記底面との間の４つの側面とを有し、該側面のそれぞれは、鉛直に延在する鉛直方向係合溝を形成する、第３の連結ブリックと、
を含み、
前記第２の連結ブリックの前記鉛直方向係合突出部のそれぞれの頂面及び外側面は、楔状角部を画定し、それに対応して、前記第３の連結ブリックの前記鉛直方向係合溝のそれぞれは、楔状溝付き部を形成し、
前記第１の連結ブリックと前記第２の連結ブリックとは交互に係合し、前記第１の連結ブリックの隣接する横断方向係合溝は、前記第２の連結ブリックの隣接する横断方向係合突出部に係合して、３×３の配列に配置された中抜きされた四角いリングを形成し、該四角いリングの内側は、前記第２の連結ブリックの４つの鉛直方向係合突出部を有し、
前記第３の連結ブリックは、前記中抜きされた四角いリングの中心に配置され、前記第３の連結ブリックの４つの鉛直方向係合溝のそれぞれは、前記四角いリングの前記内側に面する前記第２の連結ブリックの４つの鉛直方向係合突出部のそれぞれに各個係合し、
前記第２の連結ブリックの前記鉛直方向係合突出部のそれぞれの前記楔状角部は、前記第３の連結ブリックの前記鉛直方向係合溝のそれぞれの前記楔状溝付き部に係合する、一体組立てブリック。
【請求項１６】
請求項１５に記載の複数の前記一体組立てブリックであって、該複数の一体組立てブリックのそれぞれは、頂面と、底面と、前記頂面と前記底面との間の４つの側面とを画定し、該側面のそれぞれは、横断方向係合溝と、鉛直方向係合突出部と、横断方向係合溝とを順番に形成する、複数の前記一体組立てブリックと、
頂面と、底面と、前記頂面と前記底面との間の４つの側面とをそれぞれ有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、複数の追加の第２の連結ブリックと、
頂面と、底面と、前記頂面と前記底面との間の４つの側面とをそれぞれ有し、該側面のそれぞれは、鉛直に延在する鉛直方向係合溝を形成する、複数の追加の第３の連結ブリックと、
を含み、
前記複数の第２の連結ブリックの前記横断方向係合突出部は、それぞれ、横方向に摺動させることで、前記複数の一体組立てブリックの前記横断方向係合溝に係合するように用いられ、
前記複数の第３の連結ブリックの前記鉛直方向係合溝は、前記複数の一体組立てブリックを接続するために、下方に摺動させることで、前記複数の一体組立てブリックの前記鉛直方向係合突出部に係合するように用いられる、連結ブリック組立体。
【請求項１７】
頂面と、底面と、前記頂面と前記底面との間の４つの側面とをそれぞれ有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、複数の第２の連結ブリックと、
頂面と、底面と、前記頂面と前記底面との間の４つの側面とをそれぞれ有し、該側面のそれぞれは、鉛直に延在する鉛直方向係合溝を形成する、複数の第３の連結ブリックと、
なお、前記第２の連結ブリックの前記鉛直方向係合突出部のそれぞれの頂面及び外側面は、楔状角部を画定し、それに対応して、前記第３の連結ブリックの前記鉛直方向係合溝のそれぞれは、楔状溝付き部を形成し、
頂面と、底面と、前記頂面と前記底面との間の４つの側面とをそれぞれ有し、該側面のそれぞれは、横断方向係合溝と、鉛直方向係合突出部と、横断方向係合溝とを順番に形成する、複数の一体連結ブリックと、
を含み、
前記複数の第２の連結ブリックの前記横断方向係合突出部は、それぞれ、横方向に摺動させることで、前記複数の一体連結ブリックの前記横断方向係合溝に係合するように用いられ、
前記複数の第３の連結ブリックの前記鉛直方向係合溝は、前記複数の一体連結ブリックを接続するために、下方に摺動させることで、前記複数の一体連結ブリックの前記鉛直方向係合突出部に係合するように用いられる、連結ブリック組立体。
【発明の詳細な説明】
【技術分野】
【０００１】
本発明は、連結ブリック組立体及び連結ブリック組立体の組立て方法に関する。特に、本発明は、連結ブリックを迅速かつ容易に組み立てることができる、連結ブリック組立体及び組立て方法に関する。
【背景技術】
【０００２】
従来の連結ブリック組立体は、互いに一体的に嵌合することができる構造を有する連結ブリックを組み立てることによって形成され、それにより、利便的な運搬及び組立ての利点を得ることができる。しかしながら、従来の連結ブリックには、いまだ多くの欠点があり、例えば、重量が過大であり、組立てステップが複雑であり、また、同時に複数箇所で組み立てることができないため、組立てを誤ると、全ての部分を分離することが必要となる組立て直しにつながる。
【０００３】
従来の連結ブリックは、特許文献１及び特許文献２に見ることができる。上記特許に開示されている連結ブリック又は他の従来の連結ブリックでは、組立てのための要求により、連結ブリックは非常に多くの不要な係合構造を有し、例えば、多角形の連結ブリックは、組立ての要件を満たすために、全ての面に係合構造を形成する必要がある。
【０００４】
上述した従来の連結ブリックの多角形構成に起因して、その側面の面積は比較的小さいため、各側面に形成することが可能な係合構造がより小さくなることに更につながり、したがって、係合構造の強度に深刻な影響がある。係合構造がもたらす強度が十分でない場合、連結ブリック組立体を通過する歩行者又は車両によって各連結ブリックの上下の相対変位が生じる場合があり、それにより、連結ブリック組立体の平坦性が損なわれる。
【０００５】
連結ブリックの係脱及び突出を防ぐために、特許文献２には弾性ラッチが付加されているものの、そのような弾性ラッチにより、連結ブリック組立体の分解、交換、又は修理には追加の道具が必要となるため、こうした作業における困難さが増す。
【０００６】
さらに、従来の連結ブリックの係合構造（特に、係合凹部）は、連結ブリックの表面に開口を形成するほどの長さまで延在し、この開口は連結ブリックの頂面上に残り、連結ブリックの組立て後も開口を形成する。このような開口は、雨水の漏出を引き起こし、又は歩行中の歩行者に危険をもたらす（例えば、開口内に靴のヒールが嵌まることで転ぶ）。
【先行技術文献】
【特許文献】
【０００７】
【特許文献１】米国特許第７，４２９，１４４号
【特許文献２】台湾実用新案特許第４７０１１５号
【発明の概要】
【発明が解決しようとする課題】
【０００８】
本発明の連結ブリック組立体は、上述した従来の連結ブリックの長年の問題及び短所を解消するように意図されている。加えて、本発明は、容易かつ素早い組立ての利点を得るために、特別な構造設計を用いる。
【課題を解決するための手段】
【０００９】
本発明の１つの態様によれば、本発明は、頂面と、底面と、前記頂面と前記底面との間の４つの側面とを有し、該側面のそれぞれは、横方向に延在する横断方向係合溝を形成する、少なくとも１つの第１の連結ブリックと、頂面と、底面と、前記頂面と前記底面との間の４つの側面とを有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、少なくとも１つの第２の連結ブリックと、頂面と、底面と、前記頂面と前記底面との間の４つの側面とを有し、該側面のそれぞれは、鉛直に延在する鉛直方向係合溝を形成する、少なくとも１つの第３の連結ブリックとを含み、前記第１の連結ブリックの前記横断方向係合溝のそれぞれは、横方向に摺動させることで、前記第２の連結ブリックの前記横断方向係合突出部のそれぞれに係合するように用いられ、前記第３の連結ブリックの前記鉛直方向係合溝のそれぞれは、下方に摺動させることで、前記第２の連結ブリックの前記鉛直方向係合突出部のそれぞれに係合するように用いられ、前記第２の連結ブリックの前記鉛直方向係合突出部のそれぞれの頂面及び外側面は、楔状角部を画定し、それに対応して、前記第３の連結ブリックの前記鉛直方向係合溝のそれぞれは、楔状溝付き部を形成し、前記鉛直方向係合突出部のそれぞれの前記楔状角部は、前記鉛直方向係合溝のそれぞれの前記楔状溝付き部と係合するように用いられる、連結ブリック組立体を提供する。
【００１０】
本発明の別の態様によれば、本発明は、頂面と、底面と、前記頂面と前記底面との間の４つの側面とをそれぞれ有し、該側面のそれぞれは、横方向に延在する横断方向係合溝を形成する、４つの第１の連結ブリックと、頂面と、底面と、前記頂面と前記底面との間の４つの側面とをそれぞれ有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、４つの第２の連結ブリックと、頂面と、底面と、前記頂面と前記底面との間の４つの側面とを有し、該側面のそれぞれは、鉛直に延在する鉛直方向係合溝を形成する、第３の連結ブリックとを含み、前記第２の連結ブリックの前記鉛直方向係合突出部のそれぞれの頂面及び外側面は、楔状角部を画定し（正：define）、それに対応して、前記第３の連結ブリックの前記鉛直方向係合溝のそれぞれは、楔状溝付き部を形成し、前記第１の連結ブリックと前記第２の連結ブリックとは交互に係合し、前記第１の連結ブリックの隣接する横断方向係合溝は、前記第２の連結ブリックの隣接する横断方向係合突出部に係合して、３×３の配列に配置された中抜きされた四角いリングを形成し、該四角いリングの内側は、前記第２の連結ブリックの４つの鉛直方向係合突出部を有し、前記第３の連結ブリックは、前記中抜きされた四角いリングの中心に配置され、前記第３の連結ブリックの４つの鉛直方向係合溝のそれぞれは、前記四角いリングの前記内側に面する前記第２の連結ブリックの４つの鉛直方向係合突出部のそれぞれに各個係合し、前記第２の連結ブリックの前記鉛直方向係合突出部のそれぞれの前記楔状角部は、前記第３の連結ブリックの前記鉛直方向係合溝のそれぞれの前記楔状溝付き部に係合する、一体組立てブリックを提供する。
【００１１】
本発明の別の態様によれば、本発明は、複数の前記一体組立てブリックであって、該複数の一体組立てブリックのそれぞれは、頂面と、底面と、前記頂面と前記底面との間の４つの側面とを画定し、該側面のそれぞれは、横断方向係合溝と、鉛直方向係合突出部と、横断方向係合溝とを順番に形成する、複数の前記一体組立てブリックと、頂面と、底面と、前記頂面と前記底面との間の４つの側面とをそれぞれ有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、複数の追加の第２の連結ブリックと、頂面と、底面と、前記頂面と前記底面との間の４つの側面とをそれぞれ有し、該側面のそれぞれは、鉛直に延在する鉛直方向係合溝を形成する、複数の追加の第３の連結ブリックとを含み、前記複数の第２の連結ブリックの前記横断方向係合突出部は、それぞれ、横方向に摺動させることで、前記複数の一体組立てブリックの前記横断方向係合溝に係合するように用いられ、前記複数の第３の連結ブリックの前記鉛直方向係合溝は、前記複数の一体組立てブリックを接続するために、下方に摺動させることで、前記複数の一体組立てブリックの前記鉛直方向係合突出部に係合するように用いられる、連結ブリック組立体を提供する。
【００１２】
本発明の別の態様によれば、本発明は、頂面と、底面と、前記頂面と前記底面との間の４つの側面とをそれぞれ有し、該側面のうち２つの対向側面のそれぞれは、横方向に延在する横断方向係合突出部を形成し、前記側面のうち他の２つの対向側面のそれぞれは、鉛直に延在する鉛直方向係合突出部を形成する、複数の第２の連結ブリックと、頂面と、底面と、前記頂面と前記底面との間の４つの側面とをそれぞれ有し、該側面のそれぞれは、鉛直に延在する鉛直方向係合溝を形成する、複数の第３の連結ブリックと、なお、前記第２の連結ブリックの前記鉛直方向係合突出部のそれぞれの頂面及び外側面は、楔状角部を画定し（正：define）、それに対応して、前記第３の連結ブリックの前記鉛直方向係合溝のそれぞれは、楔状溝付き部を形成し、頂面と、底面と、前記頂面と前記底面との間の４つの側面とをそれぞれ有し、該側面のそれぞれは、横断方向係合溝と、鉛直方向係合突出部と、横断方向係合溝とを順番に形成する、複数の一体連結ブリックとを含み、前記複数の第２の連結ブリックの前記横断方向係合突出部は、それぞれ、横方向に摺動させることで、前記複数の一体連結ブリックの前記横断方向係合溝に係合するように用いられ、前記複数の第３の連結ブリックの前記鉛直方向係合溝は、前記複数の一体連結ブリックを接続するために、下方に摺動させることで、前記複数の一体連結ブリックの前記鉛直方向係合突出部に係合するように用いられる、連結ブリック組立体を提供する。
【００１３】
当該分野の技術に精通した当業者にとって、本発明の詳細をよりよく理解し、特許請求される本発明を実施することが可能であるように、実施形態に関する詳細な説明が図面とともに提供される。この説明は、本発明の好ましい実施形態を説明するだけの役目を果たし、本発明に対し何らの制限も課さない。本発明の同じ趣旨内で行われる何らかの変更又は変形は、本発明の保護範囲内に入るものとする。
【図面の簡単な説明】
【００１４】
【図１】本発明の第１の実施形態に係る連結ブリック組立体の上面図である。
【図２】本発明の第１の実施形態に係る連結ブリック組立体の第１の連結ブリックの斜視図である。
【図２Ａ】図２に示されている第１の連結ブリックの上面図である。
【図２Ｂ】図２に示されている第１の連結ブリックの４つの側面のうちの１つを示す側面図である。
【図２Ｃ】図２に示されている第１の連結ブリックの底面図である。
【図２Ｄ】図２Ａの線Ａ−Ａに沿った第１の連結ブリックの対角断面図である。
【図３】本発明の第１の実施形態に係る連結ブリック組立体の第２の連結ブリックの斜視図である。
【図３Ａ】図３に示されている第２の連結ブリックの上面図である。
【図３Ｂ】図３に示されている第２の連結ブリックの２つの対向側面のうちの一方を示す側面図である。
【図３Ｃ】図３に示されている第２の連結ブリックの２つの対向側面のうちの他方を示す側面図である。
【図３Ｄ】図３に示されている第２の連結ブリックの底面図である。
【図４】本発明の第１の実施形態に係る連結ブリック組立体の第３の連結ブリックの斜視図である。
【図４Ａ】図４に示されている第３の連結ブリックの上面図である。
【図４Ｂ】図４に示されている第３の連結ブリックの２つの対向側面のうちの一方を示す側面図である。
【図４Ｃ】図４に示されている第３の連結ブリックの２つの対向側面のうちの他方を示す側面図である。
【図４Ｄ】図４に示されている第３の連結ブリックの底面図である。
【図５】本発明の第１の実施形態に係る連結ブリック組立体の第４の連結ブリックの斜視図である。
【図５Ａ】図５に示されている第４の連結ブリックの上面図である。
【図５Ｂ】図５に示されている第４の連結ブリックの側面を示す側面図である。
【図５Ｃ】図５に示されている第４の連結ブリックの他の２つの対向側面のうちの一方を示す側面図である。
【図５Ｄ】図５に示されている第４の連結ブリックの底面図である。
【図６】本発明の第１の実施形態に係る連結ブリック組立体の一体組立てブリックの斜視図である。
【図６Ａ】図６に示されている一体組立てブリックの上面図である。
【図７】本発明の第２の実施形態に係る連結ブリック組立体の一体連結ブリックの斜視図である。
【図７Ａ】図７に示されている一体連結ブリックの上面図である。
【図８】本発明の連結ブリックの一部の滑り止めパターンを示す側面図である。
【図８Ａ】本発明の連結ブリックの一部の滑り止めパターンを示す拡大図である。
【図９】本発明の複数の植穴を有する連結ブリック組立体を示す図である。
【図１０】本発明の複数の植穴を有する第１の連結ブリックを示す図である。
【図１１】本発明の複数の植穴を有する第２の連結ブリックを示す図である。
【図１２】本発明の複数の植穴を有する第３の連結ブリックを示す図である。
【図１３】本発明の複数の植穴を有する第４の連結ブリックを示す図である。
【図１４】本発明の複数の植穴を有する一体組立てブリックを示す図である。
【図１５】複数の支持リブが連結ブリックの底面まで下方に延在し、底面と同一平面にある、第１の連結ブリックを示す図である。
【図１６】複数の支持リブが連結ブリックの底面まで下方に延在し、底面と同一平面にある、第２の連結ブリックを示す図である。
【図１７】複数の支持リブが連結ブリックの底面まで下方に延在し、底面と同一平面にある、第３の連結ブリックを示す図である。
【図１８】複数の支持リブが連結ブリックの底面まで下方に延在し、底面と同一平面にある、第４の連結ブリックを示す図である。
【発明を実施するための形態】
【００１５】
図１は、本発明の第１の実施形態に係る連結ブリック組立体３を示している。
【００１６】
本発明の連結ブリック組立体３は、少なくとも１つの第１の連結ブリック３１と、少なくとも（正：at least）１つの第２の連結ブリック３２と、少なくとも１つの第３の連結ブリック３３とを含む。
【００１７】
図２、図２Ａ、図２Ｂ、図２Ｃ、及び図２Ｄに示されているように、第１の連結ブリック３１は、頂面３１１と、底面３１２と、頂面３１１と底面３１２との間の４つの側面３１３、３１４、３１５、３１６とを有する。側面のそれぞれは、横方向に延在する横断方向係合溝３１３１、３１４１、３１５１、３１６１を形成し、横断方向係合溝３１３１、３１４１、３１５１、３１６１は、実質的に水平かつ横方向に延在する。
【００１８】
図３、図３Ａ、図３Ｂ、図３Ｃ、及び図３Ｄに示されているように、第２の連結ブリック３２は、頂面３２１と、底面３２２と、頂面３２１と底面３２２との間の４つの側面３２３、３２４、３２５、３２６とを有する。側面のうち２つの対向側面３２３、３２５のそれぞれは、横方向に延在する横断方向係合突出部３２３１、３２５１を形成し、側面のうち他の２つの対向側面３２４、３２６のそれぞれは、鉛直に延在する鉛直方向係合突出部３２４１、３２６１を形成する。横断方向係合突出部３２３１、３２５１は、実質的に水平かつ横方向に延在し、鉛直方向係合突出部３２４１、３２６１は、実質的に、対応する側面３２４、３２６に対して垂直の方向に延在する。
【００１９】
図４、図４Ａ、図４Ｂ、図４Ｃ、及び図４Ｄに示されているように、第３の連結ブリック３３は、頂面３３１と、底面３３２と、頂面３３１と底面３３２との間の４つの側面３３３、３３４、３３５、３３６とを有する。側面のそれぞれは、鉛直に延在する鉛直方向係合溝３３３１、３３４１、３３５１、３３６１を形成し、鉛直方向係合溝３３３１、３３４１、３３５１、３３６１は、対応する側面に対して垂直の方向に、内方に延在することが好ましい。
【００２０】
加えて、図４、図４Ａ、及び図４Ｃに示されているように、第３の連結ブリック３３の少なくとも２つの対向側面３３３、３３５のそれぞれは、少なくとも、第３の連結ブリック３３の頂面３３３及び側面３３３、３３５によって画定される凹部３３３２、３３５２を更に有する。凹部３３３２、３３５２は、好ましくは細長い形状を有し、第３の連結ブリック３３を持ち上げるための道具を挿入するのに好適であるように構成される。
【００２１】
上記実施形態では、第１の連結ブリック３１の横断方向係合溝３１３１、３１４１、３１５１、３１６１のそれぞれは、横方向に摺動させることで、第２の連結ブリック３２の横断方向係合突出部３２３１、３２５１のそれぞれに係合する。鉛直方向係合溝３３３１、３３４１、３３５１、３３６１のそれぞれは、上から下への摺動によって、第２の連結ブリック３２の鉛直方向係合突出部３２４１、３２６１のそれぞれに係合する。
【００２２】
さらに、図３Ｂに示されているように、第２の連結ブリック３２の鉛直方向係合突出部３２４１、３２６１のそれぞれの頂面３２４１１、３２６１１（第２の連結ブリック３２の頂面３２１に最も近い）は、傾斜が付けられ、鉛直方向係合突出部３２４１、３２６１のそれぞれの外側面３２４１２、３２６１２とともに、楔状角部３２Ｅを画定する。それに対応して、第３の連結ブリック３３の鉛直方向係合溝３３３１、３３４１、３３５１、３３６１のそれぞれは、楔状溝付き部３３Ｅを形成する。第２の連結ブリック３２の鉛直方向係合突出部３２４１、３２６１のそれぞれの楔状角部３２Ｅは、第３の連結ブリック３３の鉛直方向係合溝３３３１、３３４１、３３５１、３３６１のそれぞれの楔状溝付き部３３Ｅと係合するように用いられる。鉛直方向係合溝３３３１、３３４１、３３５１、３３６１のそれぞれは、上から下に鉛直方向に、鉛直方向係合突出部３２４１、３２６１のそれぞれと係合することが好ましい。
【００２３】
本発明の上述の実施形態では、第１の連結ブリック３１、第２の連結ブリック３２、及び第３の連結ブリック３３の係合構造（横断方向係合突出部、横断方向係合溝、鉛直方向係合突出部、及び鉛直方向係合溝）を用いて、連結ブリックのそれぞれの間の相互係止が達成される。特に、鉛直方向及び横方向（水平方向）における係合構造の相互係止を用いることで、連結ブリック組立体の組立てがより容易かつ素早くなる。したがって、使用者は、要求に応じて、第１の連結ブリック３１、第２の連結ブリック３２、及び第３の連結ブリック３３の数量を選び、それらを組み立てることで、連結ブリック組立体３の所望の構造を得ることができる。
【００２４】
特許文献１に開示されている従来の連結ブリックの係合構造は、鉛直方向の係合部であり、係合構造の雌部が、連結ブリックをその頂面まで貫通している。したがって、車両又は歩行者が従来の連結ブリックを通る際、従来の連結ブリック組立体の連結ブリックのそれぞれは、鉛直方向の相対変位を生じ、それにより、連結ブリックは平坦でなくなり、更には連結ブリックが互いに分離することにもつながる。
【００２５】
本発明の好ましい一実施形態において、第３の連結ブリック３３の鉛直方向係合溝３３３１、３３４１、３３５１、３３６１は、第３の連結ブリック３３の頂面３３１まで延在しない（図４、図４Ｂ、及び図４Ｃに示されている）。第２の連結ブリック３２の鉛直方向係合突出部３２４１、３２６１は、第２の連結ブリック３２の頂面３２１まで延在しない（図３及び図３Ｂに示されている）。この特徴に起因して、車両又は歩行者が本発明の連結ブリック組立体３を通る場合に、頂面まで延在しない連結ブリック組立体３の鉛直方向係合溝３３３１、３３４１、３３５１、３３６１及び鉛直方向係合突出部３２４１、３２６１は、連結ブリックのそれぞれが上下に相対変位すること及び互いに分離することを防止する効果を有する。
【００２６】
加えて、図３Ｂに示されているように、鉛直方向係合突出部３２４１、３２６１の底面３２４１３、３２６１３は、第２の連結ブリック３２の底面３２２まで延在し、好ましくは、底面３２４１３、３２６１３は、第２の連結ブリック３２の底面３２２と同一平面にある。
【００２７】
他の可能な実施形態において、第２の連結ブリック３２の横断方向係合突出部３２３１、３２５１は、側面３２３、３２５から外方に徐々に拡大し、切頭三角柱又は切頭三角錐等の形態をなして突出するように構成される。
【００２８】
本発明の実施形態のうちのいくつかにおける連結ブリック組立体の鉛直方向係合突出部３２４１、３２６１及び鉛直方向係合溝３３３１、３３４１、３３５１、３３６１は、高強度を有する係合をもたらすように特別に設計された構造であると同時に、連結ブリックの頂面３２１、３３１まで延在することを回避する構造である。
【００２９】
本発明の実施形態では、第３の連結ブリック３３は、いわゆるキーストーンとしての役目を果たし、特に、第２の連結ブリック３２（又は後述する第４の連結ブリック３２）を横方向に摺動して第１の連結ブリック３１に係合した後に、係止することが意図されている。
【００３０】
第３の連結ブリック３３により、使用者は、４つの第１の連結ブリック３１及び４つの第２の連結ブリック３２をまず組み付けて、その後、第３の連結ブリック３３を用いて、第３の連結ブリック３３を上から下に摺動させることで第２の連結ブリック３２に係合させ、図６及び図６Ａに示されているような一体組立てブリック４を形成することができる。
【００３１】
詳細には、使用者は、第１の連結ブリック３１の隣接する横断方向係合溝３１３１、３１４１、３１５１、３１６１が第２の連結ブリックの隣接する横断方向係合突出部３２３１、３２５１に係合するように、４つの第１の連結ブリック３１と４つの第２の連結ブリック３２とを交互に係合させることで、３×３の配列で配置された中抜きされた四角いリングを形成することができる。四角いリングの内側は、第２の連結ブリック３２の４つの鉛直方向係合突出部３２４１、３２６１を有する。次いで、下方に摺動させることで、使用者は、中抜きされた四角いリングの中心に第３の連結ブリック３３を配置し、第３の連結ブリック３３の４つの鉛直方向係合溝３３３１、３３４１、３３５１、３３６１のそれぞれを、四角いリングの内側に面する第２の連結ブリック３２の４つの鉛直方向係合突出部３２４１、３２６１のそれぞれに各個係合させ、第２の連結ブリック３２の鉛直方向係合突出部３２４１、３２６１のそれぞれの楔状角部３２Ｅを、第３の連結ブリック３３の鉛直方向係合溝３３３１、３３４１、３３５１、３３６１のそれぞれの楔状溝付き部３３Ｅに係合させることで、一体組立てブリック４を形成する。
【００３２】
図６及び図６Ａに示されているように、一体組立てブリック４は、それぞれ、頂面４１と、底面４２と、頂面４１と底面４２との間の４つの側面４３、４４、４５、４６とを画定する。側面のそれぞれは、横断方向係合溝３１３１、３１４１、３１５１、３１６１と、鉛直方向係合突出部３２４１、３２６１、３２６１、３２４１と、横断方向係合溝３１３１、３１４１、３１５１、３１６１とを順番に形成する。
【００３３】
図６及び図６Ａに示されている本発明の一体組立てブリック４を参照すると、一体組立てブリックは、連結ブリック３１、３２、３３の組立てによって形成された連結ブリック組立体３の基本ユニットとして画定される。単位面積あたりの連結ブリックの重量を考慮すると、連結ブリックがより多くの辺を有する形状であるほど（例えば、五角形、六角形、又はそれより多くの辺を有する形状等）、その辺に隣接する連結ブリックが係合のためにより多く必要となるため、係合に必要な連結ブリックがより少なくなるように、同様のサイズの連結ブリックで、より少ない辺を有する（例えば、四辺形）方が好ましい。
【００３４】
図５、図５Ａ、図５Ｂ、図５Ｃ、及び図５Ｄに示されているように、本発明の連結ブリック組立体３は、頂面３４１と、底面３４２と、頂面３４１と下面３４２との間の４つの側面３４３、３４４、３４５、３４６とを有する少なくとも１つの第４の連結ブリック３４を更に含む。側面のうち２つの対向側面３４３、３４５のそれぞれは、実質的に水平に延在する横断方向係合突出部３４３１、３４５１を形成し、側面３４４、３４６のうちの別の側面３４４は、鉛直に延在する鉛直方向係合突出部３４４１を形成する。
【００３５】
本発明の実施形態では、第１の連結ブリック３１の横断方向係合溝３１３１、３１４１、３１５１、３１６１のそれぞれは、横方向に摺動させることで、第４の連結ブリック３４の横断方向係合突出部３４３１、３４５１のそれぞれと係合するように用いられる。第３の連結ブリック３３の鉛直方向係合溝３３３１、３３４１、３３５１、３３６１のそれぞれは、鉛直方向に下方に摺動させることで、第４の連結ブリック３４の鉛直方向係合突出部３４４１と係合するように用いられる。
【００３６】
加えて、図５Ｂに示されているように、第４の連結ブリック３４の鉛直方向係合突出部３４４１の頂面３４４１１（第４の連結ブリック３４の頂面３４１に最も近い）は、傾斜が付けられ、鉛直方向係合突出部３４４１の外側面３４４１２とともに、楔状角部３４Ｅを画定する。第４の連結ブリック３４の鉛直方向係合突出部３４４１の楔状角部３４Ｅは、鉛直方向係合溝３３３１、３３４１、３３５１、３３６１のそれぞれの楔状溝付き部３３Ｅに係合するように用いられる。さらに、第４の連結ブリック３４の鉛直方向係合突出部３４４１は、第４の連結ブリック３４の頂面３４１まで延在しない。
【００３７】
この実施形態では、第４の連結ブリック３４の鉛直方向係合突出部３４４１の反対側にある側面３４６は、横方向に延在する横断方向係合溝３４６１を形成する。第４の連結ブリック３４の横断方向係合溝３４６１は、横方向に摺動させることで、第２の連結ブリック３２の横断方向係合突出部３２３１、３２５１のそれぞれに係合するように用いられる。横断方向係合溝３４６１は、実質的に水平に延在する。
【００３８】
他の可能な実施形態において、第４の連結ブリック３４の鉛直方向係合突出部３４３１、３４５１は、対応する側面３４３、３４５から外方に徐々に拡大し、切頭三角柱又は切頭三角錐等の形態をなして突出するように構成される。
【００３９】
他の可能な実施形態において、第４の連結ブリック３４の鉛直方向係合突出部３４４１の反対側にある側面３４６は、横断方向係合溝３４６１又は他の形態の何らかの溝を有しないことも可能である。
【００４０】
図１に示されているように、本発明の連結ブリック組立体３の構造による広い面積が所望される場合、上述したプロセスを繰り返し、複数の一体組立てブリック４を形成することができる。その後、複数の一体組立てブリック４は、整列されて地面に敷かれ、追加の第２の連結ブリック３２及び追加の第３の連結ブリック３３が、隣り合う一体組立てブリック４間に交互に配置される。さらに、追加の第２の連結ブリック３２の横断方向係合突出部３２３１、３２５１は、横方向に摺動させることで、隣接する一体組立てブリック４の対応する横断方向係合溝３１３１、３１４１、３１５１、３１６１に係合し、次いで、追加の第３の連結ブリック３３の鉛直方向係合溝３３３１、３３４１、３３５１、３３６１は、下方に摺動させることで、隣接する一体組立てブリック４及び隣接する第２の連結ブリック３２の対応する鉛直方向係合突出部３２４１、３２６１に係合し、所望の連結ブリック組立体３の組立てが達成される。
【００４１】
上述した連結ブリック組立体の組立ての利便性及び高効率は、第３の連結ブリック３３の鉛直方向係合溝３３３１、３３４１、３３５１、３３６１を第２の連結ブリック３２の鉛直方向係合突出部３２４１、３２６１に下方に係合させることに主に起因する。
【００４２】
鉛直下方の摺動及び横方向の摺動を伴う本発明の係合構造に起因して、本発明の連結ブリック組立体の組立ては、舗装される地面における複数の地点で同時に進めることを可能にすることができ、したがって、本発明は、迅速な組立ての効果を有する。
【００４３】
さらに、第３の連結ブリック３３は、下方の摺動によって係合するため、連結ブリック組立体の組立てプロセス中に誤りが生じても、第３の連結ブリック３３を持ち上げることが可能であり、それにより、既に完成された連結ブリック組立体の全ての部分を分解することなく、連結ブリック組立体の領域の或る特定の部分（複数の場合もある）を分解することができる。
【００４４】
さらに、連結ブリック組立体を分解する場合、上述した技術的特徴により、複数箇所で同時に分解作業を行うことが可能であり、それにより、分解の効率を向上することができる。
【００４５】
しかし、図１に示されているように、上記方法で完成された連結ブリック組立体３の最外の周縁部は、第２の連結ブリック３２の鉛直方向係合突出部３２４１を有し、それにより、連結ブリック組立体３の周縁部は平坦でなくなる。こうした事象を避けるために、少数の第４の連結ブリック３４を、連結ブリック組立体３の外縁部に配置される第２の連結ブリック３２の代わりに用いることができる。横方向に摺動させることで、隣接する第１の連結ブリック１の横断方向係合溝３１３１、３１４１、３１５１、３１６１は、第４の連結ブリック３２の横断方向係合突出部３４３１、３４５１にそれぞれ係合する。下方に摺動させることで、隣接する第３の連結ブリック３３の鉛直方向係合凹部３３３１、３３４１、３３５１、３３６１は、第４の連結ブリック３２の鉛直方向係合突出部３４４１にそれぞれ係合する。加えて、第４の連結ブリック３４の鉛直方向係合突出部３４４１の楔状角部３４Ｅは、隣接する第３の連結ブリック３３の鉛直方向係合溝３３３１、３３４１、３３５１、３３６１の楔状溝付き部３３Ｅに係合する。
【００４６】
本発明の第２の実施形態では、連結ブリック組立体３は、図７に示されているような少なくとも１つの一体連結ブリック３５を更に含む。一体連結ブリック３５は、頂面３５１と、底面３５２と、頂面３５１と底面３５２との間の４つの側面３５３、３５４、３５５、３５６とを有する。側面のそれぞれは、横断方向係合溝３５３１、３５４１、３５５１、３５６１と、鉛直方向係合突出部３５３２、３５４２、３５５２、３５６２と、横断方向係合溝３５３３、３５４３、３５５３、３５６３とを順番に形成する。連結ブリック組立体３は、一体的に作製されることが好ましい。
【００４７】
一体連結ブリック３５の横断方向係合溝３５３１、３５４１、３５５１、３５６１のそれぞれは、横方向に摺動させることで、第２の連結ブリック３２の横断方向係合突出部３２３１、３２５１のそれぞれに係合するように用いられる。加えて、第３の連結ブリック３３の鉛直方向係合溝３３３１、３３４１、３３５１、３３６１のそれぞれは、下方に摺動させることで、一体連結ブリック３５の鉛直方向係合突出部３５３２、３５４２、３５５２、３５６２のそれぞれに係合するように用いられる。
【００４８】
第２の連結ブリック３２及び第４の連結ブリック３４と同様に、一体連結ブリック３５の鉛直方向係合突出部３５３２、３５４２、３５５２、３５６２のそれぞれの頂面３５３２１、３５４２１、３５５２１、３５６２１及び外側面３５３２２、３５４２２、３５５２２、３５６２２は、楔状角部３５Ｅを画定する。一体連結ブリック３５の鉛直方向係合突出部３５３２、３５４２、３５５２、３５６２のそれぞれの楔状角部３５Ｅは、第３の連結ブリック３３の鉛直方向係合溝３３３１、３３４１、３３５１、３３６１のそれぞれの楔状溝付き部３３Ｅに係合するように用いられる。上述した鉛直方向係合溝３３３１、３３４１、３３５１、３３６１のそれぞれは、鉛直方向係合突出部３５３２、３５４２、３５５２、３５６２のそれぞれと鉛直方向に下方に係合することが好ましい。加えて、一体連結ブリック３５の鉛直方向係合突出部３５３２、３５４２、３５５２、３５６２のそれぞれは、一体連結ブリック３５の頂面３５１まで延在しない。
【００４９】
少数の一体連結ブリック３５を用いて、より広い面積を有する本発明の連結ブリック組立体３’を得ることが所望される場合、同様に、複数の一体連結ブリック３５を、実質的に整列した様式で地面に敷くことができ、第２の連結ブリック３２及び第３の連結ブリック３３を、隣り合う一体連結ブリック３５間に交互に配置する。そのとき、第２の連結ブリック３２の横断方向係合突出部３２３１、３２５１は、横方向に摺動させることで、隣接する一体連結ブリック３５の対応する横断方向係合溝３５３１、３５４１、３５５１、３５６１、３５３３、３５４３、３５５３、３５６３に係合し、一体連結ブリック３５の鉛直方向係合溝３３３１、３３４１、３３５１、３３６１は、下方に摺動させることで、隣接する一体連結ブリック３５の対応する鉛直方向係合突出部３５３２、３５４２、３５５２、３５６２及び隣接する第２の連結ブリック３２の対応する鉛直方向係合突出部３２４１、３２６１に係合し、所望の連結ブリック組立体３’の組立てが達成される。
【００５０】
図３及び図５を参照すると、本発明の好ましい実施形態において、連結ブリック３２、３４、３５の鉛直方向係合突出部３２４１、３２６１、３４４１、３５３２、３５４２、３５５２、３５６２は、鉛直に延在する複数のダブテール突出部Ｇである。図４を参照すると、第３の連結ブリック３３の鉛直方向係合溝３３３１、３３４１、３３５１、３３６１は、鉛直に延在する複数のダブテール溝Ｇ’である。
【００５１】
他の可能な実施形態において、鉛直方向係合突出部３２４１、３２６１、３４４１、３５３５、３５４２、３５５２、３５６２は、対応する側面から外方に徐々に拡大し、例えば、切頭三角柱又は切頭三角錐の形態をなすように構成することもできる。鉛直方向係合溝３３３１、３３４１、３３５１、３３６１は、対応する側面から内方に徐々に縮小し、鉛直方向係合突出部３２４１、３２６１、３４４１、３５３２、３５４２、３５５２、３５６２と係合するのに好適となるように構成することもできる。
【００５２】
図２Ｃ、図３Ｄ、図４Ｄ、及び図５Ｄを参照すると、好ましい一実施形態において、連結ブリック３１、３２、３３、３４、３５のそれぞれの底面３１２、３２２、３３２、３４２、３５２は、下方に延在する複数の支持リブＨを形成する。本発明の連結ブリック３２の対角断面図である図２Ｄを参照すると、好ましい一実施形態における連結ブリック３１、３２、３３、３４、３５の支持リブＨは、アーチ状である。
【００５３】
本発明の好ましい実施形態における支持リブＨは、アーチ状であることから、連結ブリックによりよい支持を与えるとともに、連結ブリックの強度を向上することができることが特筆される。
【００５４】
図１５〜図１８を更に参照すると、より好ましい実施形態において、連結ブリック３１、３２、３３、３４の複数の支持リブＨ’は、底面３１２、３２２、３３２、３４２まで下方に延在し、それにより、底面３１２、３２２、３３２、３４２と同一平面にある。上記支持リブＨ’の構造は、連結ブリックの剛性を向上させるとともに、連結ブリック３１、３２、３３、３４に加わる力を地面に均一に分散させることができ、したがって、支持及び安定性に関してよりよい能力を有する連結ブリックを提供する。
【００５５】
他の可能な実施形態において、複数の支持リブＨは、連結ブリックの底面３１２、３２２、３３２、３４２、３５２の各角部から中心まで延在し、底面３１２、３２２、３３２、３４２、３５２の或る角部から対角部まで連続的に延在することもできる。
【００５６】
図２Ａを参照すると、好ましい一実施形態において、連結ブリック３１、３２、３３、３４、３５のそれぞれの頂面３１１、３２１、３３１、３４１、３５１は、頂面３１１、３２１、３３１、３４１、３５１の中心から下方かつ外方（図２Ａに示されている矢印によって示される方向）に傾斜する複数の排水斜面Ｉをそれぞれ形成する。図８に示されているように、排水斜面Ｉは、排水勾配を有し、雨が降ると、排水斜面Ｉは、連結ブリック３１、３２、３３、３４、３５の頂面の縁部へと雨水を迅速に流し、円滑な排水効果を達成することができる。
【００５７】
本発明の好ましい一実施形態において、排水斜面Ｉは、連結ブリックの頂面の対角線によって画定される４つの三角形のそれぞれとすることができる。三角形のそれぞれは、連結ブリックの頂面の中心における頂点を形成するように構成され、図２Ａの矢印によって示される方向に、下方かつ外方に傾いている。
【００５８】
図面において、各連結ブリックの頂面３１１、３２１、３３１、３４１、３５１における対角線は、各排水斜面Ｉの交線の稜線を示している。この線は、本発明の好ましい一実施形態における排水斜面Ｉの形状を示すように意図されているが、本発明の連結ブリックの構造に限定されるべきではない。すなわち、本発明の連結ブリックの頂面は、排水を向上する目的を果たすことができる他の形状の排水斜面とすることもできる。
【００５９】
図２〜図７を参照すると、好ましい一実施形態において、連結ブリック３１、３２、３３、３４、３５のそれぞれは、連結ブリックを頂面から底面まで貫通する複数の排水穴Ｊをそれぞれ形成している。排水穴Ｊは、異なる形状、例えば、円形、矩形、三角形、多角形の形状を有することができる。他の可能な実施形態において、排水穴Ｊが連結ブリックの頂面の外側表面において貫通している面積は、排水穴Ｊがその頂面の内側表面において貫通している面積よりも好ましくは小さい（大きい場合もある）。
【００６０】
図２〜図７を更に参照すると、連結ブリック３１、３２、３３、３４、３５のそれぞれの頂面３１１、３２１、３３１、３４１、３５１は、複数の滑り止めパターンＫを形成している。
【００６１】
図８は、滑り止めパターンＫを有する連結ブリックの一部の側面図を示している。滑り止めパターンＫは、連結ブリックの頂面上に、少なくとも破線で示されるような或る高さを有する。しかしながら、他の可能な実施形態において、滑り止めパターンＫは、頂面から下方に延在する或る深さを有するパターンとすることもできる。
【００６２】
図８Ａは、滑り止めパターンＫの拡大図を示している。しかしながら、他の可能な実施形態において、滑り止めパターンＫは、他の形状又は異なる配置を有することもできる。
【００６３】
図２〜図６及び図１４を参照すると、連結ブリック３１、３２、３３、３４、３５のそれぞれは、側面のうちの少なくとも２つを通ってつながる少なくとも１つの貫通溝Ｌを形成している。貫通溝Ｌは、少なくとも１つの導管を通すように設けられる。
【００６４】
本発明の好ましい実施形態において、貫通溝Ｌの断面は、導管を通すのに好適な任意の形状（例えば、アーチ形状）とすることができる。
【００６５】
好ましい一実施形態において、貫通溝Ｌは、連結ブリックの側面にある連結ブリックの横断方向係合溝及び横断方向係合突出部まで延在しないことが特筆される。加えて、貫通溝Ｌは、鉛直方向係合突出部を貫通するが、この鉛直方向係合部のいずれの部分も越えて広がることはない。さらに、貫通（正：through）溝Ｌは、連結ブリックの底面まで延在することが好ましい。
【００６６】
図２Ｃ、図３Ｄ、図４Ｄ、及び図５Ｄを参照すると、連結ブリック３１、３２、３３、３４の上記構造の配置は、連結ブリック３１、３２、３３、３４のそれぞれの、地面に接触する底面の面積をより大きくし、連結ブリック組立体の強度及び安定性を増大させることができる。
【００６７】
図９〜図１４は、連結ブリック３１、３２、３３、３４及び一体組立てブリック４に植穴Ｍが配された実施形態を示している。連結ブリック３１’、３２’、３３’、３４’及び一体組立てブリック４’のそれぞれは、ブリックの頂面をくり抜いた複数の植穴Ｍを形成している。図９〜図１４に示されているように、植穴Ｍを有する連結ブリック３１’、３２’、３３’、３４’及び一体組立てブリック４’は、上述した連結ブリック及び一体組立てブリックと実質的に同じ構造を有する。同様に、図面には示されていないが、一体連結ブリック３５も植穴Ｍを有することができる。
【００６８】
本発明の好ましい一実施形態において、各連結ブリックは、４つの植穴Ｍを有し、４つの植穴Ｍのそれぞれは、頂面の対角線によって画定される４つの三角形領域のそれぞれに位置する。加えて、支持リブＨが対角線に沿って延在する。
【００６９】
本発明の好ましい一実施形態において、連結ブリック３１、３２、３３、３４、３５は、正方形である。加えて、連結ブリックのそれぞれは、同じサイズであり、それにより、連結ブリック組立体の組立てプロセス中に互いに好適に合致することができる。
【００７０】
さらに、本発明の好ましい一実施形態において、連結ブリック３１、３２、３３、３４、３５は、好ましくはプラスチック製、特にリサイクルプラスチック（例えば、プラスチック袋、プラスチック容器）製であり、したがって、環境に優しいという利点がある。
【００７１】
上述した実施形態は、本発明の趣旨に基づく軽微な変更を行うことができる。しかし、本発明は、本発明の趣旨に基づく軽微な変更を伴う場合も保護範囲内にあるものとみなされるべきである。さらに、上記説明は、詳述のためにのみ意図され、本発明を限定はしない。
【図１】
2019214929.tif 000002
【図２】
2019214929.tif 000003
【図２Ａ】
2019214929.tif 000004
【図２Ｂ】
2019214929.tif 000005
【図２Ｃ】
2019214929.tif 000006
【図２Ｄ】
2019214929.tif 000007
【図３】
2019214929.tif 000008
【図３Ａ】
2019214929.tif 000009
【図３Ｂ】
2019214929.tif 000010
【図３Ｃ】
2019214929.tif 000011
【図３Ｄ】
2019214929.tif 000012
【図４】
2019214929.tif 000013
【図４Ａ】
2019214929.tif 000014
【図４Ｂ】
2019214929.tif 000015
【図４Ｃ】
2019214929.tif 000016
【図４Ｄ】
2019214929.tif 000017
【図５】
2019214929.tif 000018
【図５Ａ】
2019214929.tif 000019
【図５Ｂ】
2019214929.tif 000020
【図５Ｃ】
2019214929.tif 000021
【図５Ｄ】
2019214929.tif 000022
【図６】
2019214929.tif 000023
【図６Ａ】
2019214929.tif 000024
【図７】
2019214929.tif 000025
【図７Ａ】
2019214929.tif 000026
【図８】
2019214929.tif 000027
【図８Ａ】
2019214929.tif 000028
【図９】
2019214929.tif 000029
【図１０】
2019214929.tif 000030
【図１１】
2019214929.tif 000031
【図１２】
2019214929.tif 000032
【図１３】
2019214929.tif 000033
【図１４】
2019214929.tif 000034
【図１５】
2019214929.tif 000035
【図１６】
2019214929.tif 000036
【図１７】
2019214929.tif 000037
【図１８】
2019214929.tif 000038
【外国語明細書】
2019214929000001.pdf
2019214929000002.pdf
2019214929000003.pdf
2019214929000004.pdf